(57)【要約】      （修正有）【課題】取外し可能な本体を壁等に取付けて、袋の手提げの片方のみの部分に閉じた開閉部品を差し込み、開閉部品を広げて袋の投入口の広がりを維持する事で垂直に近い壁や平らでない壁に袋を保持できる装置を提供する。【解決手段】本体１を壁に取付け、開閉部品操作用レバー７によるリンク部品５の操作、或いは、スライドリンク用レバーの操作で開閉部品３を開閉させ、袋の片方のみの手提げ部に、閉じた開閉部品を差込み、袋手提げ部を袋手提げ保持部１０に掛け、袋内部にある開閉部品を壁に添って開き、袋の投入口を確保し、取外し時は、開閉部品を閉じ、袋手提げ部を袋手提げ保持部から外す事で、取扱いやすく、湾曲、傾斜の壁等の場所を選ばず簡易的に装着脱着できるようにした。【選択図】図１
0003219652.tif 000002
【実用新案登録請求の範囲】
【請求項１】
画鋲等の接続用品や磁石等により取り外し可能で、壁などに装着する袋保持装置で、本体に壁に添って開閉する開閉部品と開閉部品を動作させるレバー等と袋の手提げ部を保持する袋保持部などを備え、手提げ部のある袋、或いは、付属手提げ部を取付けた袋などの片方のみの手提げ部と袋の中に開閉部品を差し入れ、袋手提げ部を保持し開閉部品を開き使用する事で、袋の投入口を開けてゴミなど物の収集を可能にし、取り外し時、開閉部品を閉じ、保持部から手提げ部を外し、そのまま、開閉部品から抜いて袋を収集できる装置。
【考案の詳細な説明】
【技術分野】
【０００１】  本考案は、壁などに取り付けてその壁などに添って開閉する開閉部品を搭載し、袋の一方の手提げ部分を利用して取付け部で保持し、開閉部品を袋内部で開き、袋の投入口を保持し物、ゴミなどの入れ物とし、取り外し時、開閉部品を閉じ簡単に袋を外せる事が出来る袋保持装置に関するものである。
【背景技術】
【０００２】  今までのゴミ箱、ゴミ袋保持ホルダー等を使用しレジ袋、ゴミ袋などを装着する時、床等に平行な位置にあるゴミ箱の袋装着部やホルダーの袋保持部に、袋の入口である開口部を取付け、ゴミなどを収集する投入口箇所を確保しゴミをまとめていた。
【先行技術文献】
【特許文献】
【０００３】
【文献１】
特開２００２−１６７００４
【文献２】
実開平０７−０１２３０４
【考案の概要】
【考案が解決しようとする課題】
【０００４】  ゴミなどの収集投入箇所の保持部が、床に平行かゴミを投入しやすい角度の面に、袋の入口全体を保持しなければならない為に、箱、アングル等でゴミ容量を満足させる入れ物が必要であり、設置場所の確保などのスペースや取扱いの悪さなどの欠点があった。
【課題を解決するための手段】
【０００５】  本考案は、簡易的に壁などに取り付け取り外しができ、その壁に沿い開閉する開閉部品を手提げ部に差し込み、袋の手提げ部の片方のみを保持し、袋の内側から広げゴミ袋の入口を広げる事でゴミなどや物を収集できる入れ物を保持し、箱やアングル等でゴミ袋の形態と容量を確保しなければならない入れ物等のスペース等の問題や取扱いの欠点を解決した。
【考案の効果】
【０００６】  上記の様に、取り付けた壁などに沿って開閉する開閉部品の為、壁からの装置の厚みは薄く、片方の手提げ部のみ保持し片手で装着脱着できて取扱いやすく、磁石等を利用すれば車などの曲面、車内などの狭い箇所の装着にも対応で来るようになった。
【図面の簡単な説明】
【０００７】
【図１】本考案の袋保持装置の一実施例の分解図である。
【図２】開閉部品の動作説明図である。
【図３】袋の取り付け及び取り外し時の図である。
【図４】使用状態の図である。
【図５】スライドリンク仕様の使用前の操作図である。
【図６】スライドリンク仕様の使用状態時の図である。
【考案を実施するための形態】
取外し可能な本体を壁等に、画鋲など或いは、磁石などで取付けられ、本体上の開閉部品に開閉部品を操作するリンク部品を備え、本体に被せる袋手提げ保持部を設けたカバーに取付けるリンク部品を動作させるレバー一式をリンク部品のレバーシャフト接続部と繋ぎ、レバーで開閉部品の開閉を行う。
【実施例】
【０００８】  本発明を一実施例として示す図面に従って説明すると、図１において画鋲などが刺さる壁等の条件では、画鋲等（１１）を使い画鋲等取付け部（１２）で、磁石を使用できる状態では磁石部（９）を使用して本体（１）を壁等に装着し、開閉部品操作レバー（７）レバーシャフト（７ａ）・位置決めリング（７ｂ）一式をカバー（２）の操作用レバー移動用切欠き（１４）に取付け、リンク部品（５）のレバーシャフト接続部（８）にレバーシャフト（７ａ）を差込み接続し、図２において本体と開閉部品動作軸部と接続ピン（４）を軸に、開閉部品操作レバー（７）でリンク部品（５）の開閉部品とリンク部品の動作軸部と接続ピン（６）を軸として（Ａ）のように動作させ開閉を操作でき、図３において開閉部品（３）が閉じた状態（Ｅ）で袋（１８）の袋手提げ部（１３）と袋（１８）の内側に開閉部品（３）を差し入れ、そのまま、袋手提げ部（１３）を袋手提げ保持部（１０）に掛け（Ｂ）、図４において開閉部品操作用レバー（７）で開閉部品（３）を開き（Ｆ）、袋の投入口の開きを維持させ使用、袋（１８）の取外し時、図３に戻り開閉部品操作用レバー（７）で開閉部品（３）を閉じ（Ｅ）、袋手提げ部（１３）を袋手提げ保持部（１０）から外し（Ｃ）、そのまま、開閉部品（３）に添わせて袋を抜取り完了する。【０００９】  また、スライドリンク仕様の使用前の操作図（図５）と、スライドリンク仕様の使用状態時の図（図６）は、スライドリンク用レバー（１５）とスライドリンク部（１６）が一体になって開閉部品（３）に接続されたスライドリンク部（１６）をスライドさせて開閉部品（３）を開閉でき、使用時は、スライドリンク用レバー（１５）の袋手提げ保持部（１０）に袋手提げ部（１３）を掛け、本体（１）のスライドリンクストッパー（１７）に乗せ、開閉部品（３）を開いた状態で使用し、取り外し時は、スライドリンク用レバー（１５）をスライドリンクストッパー（１７）から外し開閉部品（３）を閉じて袋手提げ取付け部（１０）から袋手提げ部（１３）を外し袋（１８）を外し完了する。【００１０】  尚、開閉部品の動作図である（図２）において、リンク部品（５）で開閉部品（３）を開く状態を進め開閉部品（３）が反転し少し閉じる方向で開閉部品の開き側ストッパー部（１４ａ）で開閉部品操作用レバー（７）の位置を決める事で、使用時、袋の重さで閉じる方向の力がかかった開閉部品（３）は、開閉部品の開き側ストッパー部（１４ａ）が開閉部品動作レバー（７）の動きを止めるので開閉部品動作レバー（７）を使用しない限り閉じる事はない。
【符号の説明】
【００１１】１  本体
２  カバー
３  開閉部品
４  本体と開閉部品動作軸部と接続ピン
５  リンク部品
６  開閉部品とリンク部品の動作軸部と接続ピン
７  開閉部品操作レバー
７ａ  レバーシャフト
７ｂ  位置決めリング
８  レバーシャフト接続部
９  磁石部
１０  袋手提げ保持部
１１  画鋲等
１２  画鋲等取付け部
１３  袋手提げ部
１４  操作用レバー移動用切欠き
１４ａ  開閉部品の開き側のストッパー部
１５  スライドリンク用レバー
１６  スライドリンク部
１７  スライドリンクストッパー
１８  袋
【図１】
0003219652.tif 000003
【図２】
0003219652.tif 000004
【図３】
0003219652.tif 000005
【図４】
0003219652.tif 000006
【図５】
0003219652.tif 000007
【図６】
0003219652.tif 000008
【手続補正書】
【提出日】平成30年10月25日(2018.10.25)
【手続補正１】
【補正対象書類名】実用新案登録請求の範囲
【補正対象項目名】全文
【補正方法】変更
【補正の内容】
【実用新案登録請求の範囲】
【請求項１】
取り外し可能で画鋲や釘、ビスによる接続部品や磁石により、接続部品の取り付け可能な壁や磁石で装着できる磁性体で成り立っているドアや壁に取り付ける袋保持装置で、本体に接続部品用の取り付け穴や磁石や本体の上部に手提げのあるレジ袋や付属の手提げを取付けたビニールの袋の手提げの部分を保持できるフック系の箇所の保持部を持ち、本体上のピンを軸として２本の緩やかに湾曲した棒材の一端を接続し、壁等に添って開閉できるようにし、２本の棒材が閉じた時の角度を袋の手提げ部の中に挿入や取外しができる幅を閉じ幅とし、棒材を挿入後、手提げ部を保持部に吊り下げ、袋の中に入った棒材で袋の入口及び中を十分に広げ容量を確保できる角度に開いた時の幅を開幅として作用させる事ができる位置に、２本の棒材に軸ピンを設け、折り畳みサポートヒンジのように動作する部品を利用してその両端の接続穴と軸ピンを接続し、ヒンジの中央部にシャフトを差込み、本体に取付き棒材やヒンジを覆うカバーに、シャフトの軌道をヒンジの開閉、或いは、棒材の開閉幅のみの動きを規定するように開けられた溝にシャフトを通して、シャフトを動かし、閉じたヒンジを押し広げ棒材を開かせ、シャフトを元に戻し、ヒンジを引き戻し棒材を閉じ、カバーのシャフトの溝での平衡な作用でヒンジと２本の棒材の開閉の左右対称性を均等に連動させ、物やゴミを収納、袋の脱着を簡単に出来るようにした装置。